(57)【要約】  【課題】  装置に内蔵されている照明用ライトの照明光や、装置外の光が装置内へ侵入する場合においても、信頼性の高い測定結果を得ることができる高精度な光学測定装置を提供する。  【解決手段】  発光素子１による照射光１５が消灯時の受光素子５の受光量を基準値として、照射光１５が点灯した時の受光量から基準値を減算することにより補正光量を求める。このとき、発光素子１が点灯と消灯を交互に複数回繰り返し、発光素子１が点灯時の受光量から基準値を減算することにより得られた、前記発光素子の点灯回数に応じた数の補正光量の平均値あるいは中間値を最終の補正光量とする。そして、該補正光量に基づいて検体試料１１中の分析対象物の濃度を算出する。【選択図】  図１
2008232662.tif 000002
【特許請求の範囲】
【請求項１】
検体試料中の分析対象物との反応が行われる被測定領域を有する測定用試験片と、前記測定用試験片の被測定領域に対して光を照射する発光素子と、前記測定用試験片からの反射光量を受光する受光素子と、該受光した受光量に基づいて前記検体試料中の分析対象物の濃度を算出する検出手段とを備えた光学測定装置であって、
前記検出手段は、前記発光素子が点灯時の前記受光量から、前記発光素子が消灯時の前記受光量を減算した補正光量に基づいて、前記分析対象物の濃度を算出する、
ことを特徴とする光学測定装置。
【請求項２】
前記発光素子が消灯時の前記受光量は、前記発光素子が点灯及び消灯を繰り返し行ったときの、第１の消灯時の前記受光量と、第２の消灯時の前記受光量とを平均化したものである、
ことを特徴とする請求項１に記載の光学測定装置。
【請求項３】
前記発光素子は、点灯および消灯を繰り返し行い、
前記検出手段は、前記発光素子が点灯時の前記受光量から前記消灯時の前記受光量を減算し、前記発光素子の点灯および消灯の繰り返し回数に応じた数の補正光量の、平均値を前記補正光量とする、
ことを特徴とする請求項１または２に記載の光学測定装置。
【請求項４】
前記発光素子は、点灯及び消灯を繰り返し行い、
前記検出手段は、前記発光素子が点灯時の前記受光量から前記消灯時の前記受光量を減算し、前記発光素子の点灯および消灯の繰り返し回数に応じた数の補正光量の、中間値を前記補正光量とする、
ことを特徴とする請求項１または２に記載の光学測定装置。
【請求項５】
前記発光素子を点灯後、消灯して再度点灯するまでの時間間隔を、非周期的にした、
ことを特徴とする請求項３または４に記載の光学測定装置。
【請求項６】
前記発光素子を点灯後、消灯して再度点灯するまでの時間間隔を、測定精度を保持するのに必要な間隔の１／１０倍から１倍までの任意の間隔とする、
ことを特徴とする請求項５に記載の光学測定装置。
【請求項７】
検体試料中の分析対象物との反応が行われる被測定領域を有する測定用試験片と、前記測定用試験片の被測定領域に対して光を照射する発光素子と、前記測定用試験片からの反射光量を受光する受光素子と、該受光した受光量に基づいて前記検体試料中の分析対象物の濃度を算出する検出手段とを備えた光学測定装置において、
前記測定用試験片或いは前記光学測定装置の一部を照明するライト、又はディスプレイを照明するライトを備え、
前記受光素子が前記測定用試験片からの反射光量を受光している間は、前記いずれかのライト或いは両方のライトを、消灯或いは減光する、
ことを特徴とする光学測定装置。
【発明の詳細な説明】
【技術分野】
【０００１】
本発明は、検体試料中の分析対象物の濃度を光学的に測定する光学測定装置に関するものである。
【背景技術】
【０００２】
従来、検体試料中の成分の濃度測定を行う測定装置の一例として、グルコースモニタ装置（別名：血糖値計）があった。（例えば、特許文献１参照。）これは、糖尿病の患者、或いは予備軍と呼ばれる様な人が、血液中のグルコース濃度をモニタするためのものであり、測定用試験片の反射率変化または電流変化によって測定する装置である。
【０００３】
このグルコースモニタ装置を使用する為には、先ず針やランセット等によって、使用者から血液のサンプルを採取しなければならない。そしてその使用者は、グルコースモニタ装置に試薬の付いた測定用試験片を挿入し、該測定用試験片の所定位置に血液サンプルを添加する。添加された血液は、測定用試験片上の試薬と反応し、試験片に反射率の変化または電流の変化をもたらすことによって、血液サンプル中のグルコース濃度を示す。
【０００４】
しかし、装置使用者は、血中グルコース濃度を全くの暗闇または限られた光の条件下でモニタしなければならない場合がある。例えば、血中グルコース濃度を真夜中にモニタする場合、測定を行う部屋は全くの暗闇下にあることが多い。また血中グルコース濃度を薄暮にモニタする場合、測定を行う部屋は薄暗いことが多い。この様な暗闇状態で容易に所在を見出せ、所在が見出された後も、全くの暗闇または限られた光の環境で使用できる様な、照明機構を備えたグルコースモニタ装置が望ましい。
【０００５】
その様な従来のグルコースモニタ装置の外観を、図４に示す。
図４に示すグルコースモニタ装置３１は、測定用試験片３７を装着する装着部３６と、外部表面３２に設けられた穴３４を介して上記装着部３６を照明する小型ライト３３と、測定結果を表示するディスプレイ３８とを備えている。
【０００６】
このような構成のグルコースモニタ３１を用いた、グルコース濃度の測定方法について説明する。
グルコースモニタ装置３１内に内蔵されている小型ライト３３から、図４の波線３５で示した様に、照明光３５を出力する。この照明光３５は、測定用試験片３７をグルコースモニタ装置３１の装着部３６に挿入する場合は、装着部３６を照明する。また、穿刺した指先から抽出された血液サンプル（検体試料）１１を測定用試験片３７に添加する場合は、装着部３６だけでなく、測定用試験片３７の添加部も同時に照明する。また、燐光性材料からなるハウジングの外部表面３２を照明し、燐光性材料からの光放出を生じさせることもできる。また、グルコース濃度の測定結果をディスプレイ３８上に表示させる際に、上記小型ライト３３とは別のライト（図示せず）で照明する。
【０００７】
このような機能によって、暗闇状態であっても、使用者はハウジングの外部表面３２の燐光によって、グルコースモニタ装置の所在を見いだすことが可能になる。また、装着部３６や添加部を照明する小型ライト３３や、ディスプレイ３８を照明する内蔵ライトによって、装置への測定用試験片の装着や血液サンプル（検体試料）の添加や測定結果の読み取りなどが容易になり、使用者の使い勝手を向上させることができる。
【特許文献１】特表２００３−５１２８６６号公報
【発明の開示】
【発明が解決しようとする課題】
【０００８】
しかしながら、上記従来の照明機能をもった測定装置は、測定用試験片の電流変化を検出する測定方式では、装置に内蔵したライトの照明光や装置の外光の一部が測定結果に影響を与えるという問題は発生しないが、測定用試験片の反射率変化等の光学的検出を利用する方式では、装置に内蔵したライトの照明光の一部や装置の外光の一部が受光素子に入射し、これが測定誤差を生じる要因となってしまうことがあった。特に、微小な光学信号の検出が要求される高精度測定においては、この問題は深刻である。
【０００９】
本発明は、この様な従来の課題を解決するもので、装置使用者が暗闇状態において照明機能を用いた場合においても、信頼性の高い測定結果を得ることができる光学測定装置を提供することを目的とする。
【課題を解決するための手段】
【００１０】
上記課題を解決するために、本発明の請求項１にかかる光学測定装置は、検体試料中の分析対象物との反応が行われる被測定領域を有する測定用試験片と、前記測定用試験片の被測定領域に対して光を照射する発光素子と、前記測定用試験片からの反射光量を受光する受光素子と、該受光した受光量に基づいて前記検体試料中の分析対象物の濃度を算出する検出手段とを備えた光学測定装置であって、前記検出手段は、前記発光素子が点灯時の前記受光量から、前記発光素子が消灯時の前記受光量を減算した補正光量に基づいて、前記分析対象物の濃度を算出する、ことを特徴とする。
【００１１】
また、本発明の請求項２にかかる光学測定装置は、請求項１に記載の光学測定装置において、前記発光素子が消灯時の前記受光量は、前記発光素子が点灯及び消灯を繰り返し行ったときの、第１の消灯時の前記受光量と、第２の消灯時の前記受光量とを平均化したものである、ことを特徴とする。
【００１２】
また、本発明の請求項３にかかる光学測定装置は、請求項１または２に記載の光学測定装置において、前記発光素子は、点灯および消灯を繰り返し行い、前記検出手段は、前記発光素子が点灯時の前記受光量から前記消灯時の前記受光量を減算し、前記発光素子の点灯および消灯の繰り返し回数に応じた数の補正光量の、平均値を前記補正光量とする、ことを特徴とする。
【００１３】
また、本発明の請求項４にかかる光学測定装置は、請求項１または２に記載の光学測定装置において、前記発光素子は、点灯及び消灯を繰り返し行い、前記検出手段は、前記発光素子が点灯時の前記受光量から前記消灯時の前記受光量を減算し、前記発光素子の点灯および消灯の繰り返し回数に応じた数の補正光量の、中間値を前記補正光量とする、ことを特徴とする。
【００１４】
また、本発明の請求項５にかかる光学測定装置は、請求項３または４に記載の光学測定装置において、前記発光素子を点灯後、消灯して再度点灯するまでの時間間隔を、非周期的にした、ことを特徴とする。
【００１５】
また、本発明の請求項６にかかる光学測定装置は、請求項５に記載の光学測定装置において、前記発光素子を点灯後、消灯して再度点灯するまでの時間間隔を、測定精度を保持するのに必要な間隔の１／１０倍から１倍までの任意の間隔とする、ことを特徴とする。
【００１６】
また、本発明の請求項７にかかる光学測定装置は、検体試料中の分析対象物との反応が行われる被測定領域を有する測定用試験片と、前記測定用試験片の被測定領域に対して光を照射する発光素子と、前記測定用試験片からの反射光量を受光する受光素子と、該受光した受光量に基づいて前記検体試料中の分析対象物の濃度を算出する検出手段とを備えた光学測定装置において、前記測定用試験片或いは前記光学測定装置の一部を照明するライト、又はディスプレイを照明するライトを備え、前記受光素子が前記測定用試験片からの反射光量を受光している間は、前記いずれかのライト或いは両方のライトを、消灯或いは減光する、ことを特徴とする。
【発明の効果】
【００１７】
本発明の光学測定装置によれば、暗闇状態において、使用者が装置に内蔵された照明機能を利用した場合、照明光の影響を補正するか、或いは影響がないように測定期間中に消灯或いは減光するようにしたので、信頼性の高い測定結果を得ることができる。また、装置の外部から侵入した光の影響も同時に補正することも可能になるため、更に測定結果の信頼性が高い光学測定装置を提供することができる。
【発明を実施するための最良の形態】
【００１８】
以下に、本発明の実施の形態について、図面と共に詳細に説明する。
（実施の形態１）
図１は、本発明の実施の形態１による光学測定装置１００の主要部位を示すものである。
図１（ａ）は、本実施の形態１において、穿刺した指先から抽出された血液サンプル（検体試料）１１を、測定用試験片３に添加する前の状態を示している。
【００１９】
本実施の形態１の光学測定装置１００は、発光素子１、該発光素子１からの照射光を測定用試験片３の所定領域に集光するレンズ２、測定用試験片３からの反射光を受光する受光素子５、該受光した受光量に基づいて分析対象物の濃度を算出する検出手段１２、測定用試験片３を照明するライト６、測定結果を示すディスプレイ７を備えている。
【００２０】
上記発光素子１としては、ランプや発光ダイオード（ＬＥＤ）や半導体レーザ（ＬＤ）等が考えられるが、グルコースモニタ装置等の小型測定装置においては、発光ダイオードや半導体レーザの様な半導体素子が望ましい。
【００２１】
上記受光素子５としては、フォトダイオードやＣＣＤで代表されるイメージセンサやフォトマル（光電子増倍管）等が考えられるが、図示したグルコースモニタ装置等の小型測定装置においては、受光素子への受光量は十分であるので、フォトダイオードが適当である。
【００２２】
上記ライト６は、測定用試験片３の端部に使用者が暗闇でも血液サンプル（検体試料）１１を添加し易いように照明する照明用のライトである。
【００２３】
上記ディスプレイ７は、装置の状態や測定結果を示す役割があり、暗闇でも表示内容を確認できるように表示面を照明するための上記ライト６とは別のライトを有する。
【００２４】
ところで、図１（ａ）に示すように、ライト６の照明光の一部８やディスプレイ７の照明光の一部９が、装置内部を通過、あるいは反射することにより、受光素子５に入射されてしまうことがある。また、部屋内の照明や日光などの装置外の光１０が、装置の隙間を通過して受光素子５に入射されることがある。なお、実際には、装置内に入射される光は、図に示した波線の様な曲がった経路をたどるわけではなく、装置内の各部品に何度も反射する等して受光素子内に到達する。
【００２５】
このような測定とは異なる用途で用いる照明光の一部が受光素子５に入射されると、測定結果に影響を及ぼすという問題が生じる。そこで、本実施の形態１では、発光素子１の消灯時の受光量を基準値として、点灯時の受光量を補正し、該補正した受光量に基づいて分析対象物の濃度を算出する。
【００２６】
以下、本実施の形態１における光学測定動作について説明する。図１（ｂ）は、本実施の形態１における、測定状態の様子を示した図である。本実施の形態では、検体試料１１として血液サンプルを用い、血液中のグルコース濃度の測定を行う。
【００２７】
装置使用者が測定用試験片３に血液サンプル１１を添加してから規定時間後、測定用試験片３上の被測定領域４は、血液中のグルコースの濃度に相当した呈色を示すようになる。この呈色している被測定領域４に対して、発光素子１から照射光１５をレンズ２でスポット１６の状態に集光して照射する。そして、被測定領域４からの反射散乱光１７を受光素子５で受光する。ここで被測定領域４の呈色度は、血液サンプル１１中の成分濃度に相応して変化する。また、被測定領域４では、呈色度に応じて照射光スポット１６の光が吸光されるので、受光素子５の受光量に応じて、血液中のグルコース濃度を測定する。
【００２８】
上記測定は、発光素子１の点灯と消灯を交互に繰り返すことにより、複数回行う。図１（ｃ）に、時間に対する受光素子５で受光する光量のグラフを図示した。図において、受光量１８は、発光素子１の点灯時に検出された信号であり、受光量１９は、発光素子１の消灯時に検出された信号である。
【００２９】
ここで複数回の測定を行う理由は、受光素子５内の光検出信号測定回路に電気的ノイズが混入すると、測定結果に影響を及ぼす可能性があるので、複数回の測定を行ってその平均値或いは中間値を最終の測定結果とすることによって、ノイズの影響を軽減するためである。
【００３０】
発光素子１が消灯している場合には、先に述べた様に、ライト６やディスプレイ７の照明光の一部や、装置外の光（部屋内の照明や日光など）の一部が受光素子５に入射されているため、受光量１９の値は零にはならない。また、測定期間中に、装置外の光やライト６及びディスプレイ７の照明光等の受光量が変化した場合には、受光量１８、１９の値も信号１８ａ、１９ａで示した様に同期して変化する。（図１（ｃ）では、いずれも値が大きくなっている。）
【００３１】
ここで、照明光等の受光量の変化には、次のような要因が考えられる。
装置外の光については、測定装置が小型で持ち運び可能である場合、使用者が装置を移動している最中に、部屋の照明光や日光等の当たり具合が変化したりするためである。また、測定装置を机上等の一定の場所に設置して使用している場合であっても、装置周辺の人の移動によって、部屋の照明光や日光等の影の具合が変化したりすることも考えられる。
また、測定装置に内蔵されたライト６及びディスプレイ７の照明光については、回路の電気的ノイズによって、照明用ライトの駆動電流の変動が発生するため等である。
【００３２】
従って、このように受光素子５の受光量に変動があった場合、本実施の形態では、発光素子１の消灯時の受光量１９を基準値とし、発光素子１の点灯時の受光量１８から基準値を減算することにより補正光量を得る。また基準値は、発光素子１の点灯及び消灯を繰り返し行ったときの、第１の消灯時の受光素子５の受光量と、第２の消灯時の受光量とを平均化したものである。また、図１（ｃ）で示している様に、発光素子１を所定のタイミングで点灯及び消灯を複数回繰り返し、発光素子１の各点灯時の受光量から上記基準値を減算した値の平均値あるいは中間値を最終の補正光量とする。
【００３３】
以上のようにして得られた補正光量に基づいて、血液１１中のグルコース濃度を算出するようにしたので、測定期間中の受光素子５の受光量の変動の影響を軽減することができ、信頼性の高い測定結果を得ることができる。
【００３４】
ところで、一般的に、必要な信号成分以外の変動分を除去する方法として、照射光を既定の周波数で点滅（光強度変調）し、光検出信号のうち同一周波数成分のみを抽出してその振幅の大きさから分析対象物の濃度を算出する方法や、光検出信号に対して同一周波数の参照信号で同期検波を行い、同一周波数成分のみを直流成分として検出し、該検出値から分析対象物の濃度を算出する、いわゆるロックインアンプを用いる方法等が良く知られている。これに対し、本発明では、１個の測定データを取得する場合、消灯回数は１回あるいは２回でよいので、従来のように、わざわざ高度で複雑な方法を用いて光を周期的に点滅させる必要がないので、簡単な方法で分析対象物の濃度測定を行うことができる。
【００３５】
なお、本実施の形態１では、検体試料が血液サンプルの場合について述べたが、他の試料（尿や唾液や体液など）であっても何ら支障はない。また、測定用試験片からの反射散乱光を受光する構成について述べたが、試験片を通過する透過光を受光するようにしても何ら支障はない。また、呈色部（被測定領域）における照射光の吸光の事例を述べたが、照射光を必要としないで自ら発光する場合であっても、本実施の形態１の光学測定装置を用いることで、同様の効果が得られる。
【００３６】
このような実施の形態１の光学測定装置によれば、発光素子１が点灯時の受光素子５の受光量から消灯時の受光量を減算した補正光量に基づいて、検体試料１１中の分析対象物の濃度を求めるようにしたので、ライト６やディスプレイ７の照明光や外光等の影響を軽減させることができ、装置使用者が暗闇状態において照明機能を用いた場合においても、信頼性の高い測定結果を得ることができる。
【００３７】
また、発光素子１は点灯及び消灯を交互に繰り返し、検出手段１２は、発光素子１が点灯時の受光素子５の受光量から消灯時の受光量を減算し、前記発光素子の点灯回数に応じた数の補正光量の、平均値あるいは中間値を最終の補正値とするようにしたので、照明光や外光の光量が変化してもその影響を軽減させることができ、より信頼性の高い測定結果を得ることができる。
【００３８】
（実施の形態２）
図２は、本発明の実施の形態２における光学測定装置２００の主要部位を示すものである。図において、図１と同一構成要素については、同一符号を付し、その説明は省略する。
【００３９】
図２（ａ）は、本実施の形態２において、測定用試験片３を移動させながら測定している様子であり、図２（ｂ）は、その時の受光素子５で受光する光量を示している。図２（ｂ）において、受光量２１は、発光素子１を点灯した場合の信号であり、受光量２２は、発光素子１を消灯した場合の信号である。ここでは、受光素子５による測定を、発光素子１の点灯と消灯を交互に繰り返すことにより、複数回行っている。この結果、受光量２１の変化の大きさ２３によって、被測定領域４の呈色度を求めることができる。
【００４０】
この場合には、測定用試験片３とそれを支持する部品（図示せず）が同時に移動して、ライト６の照明光の一部８やディスプレイ７の照明光の一部９や、装置外の光（部屋内の照明や日光など）の一部１０が、移動中の装置内部の部品で反射し、受光素子５に入射する受光量が移動に伴って変化するので、図１の場合に加えて、更により大きな変動が発生する。信号２１ａ及び信号２２ａは、受光量の増加を示しており、信号２１ｂ及び信号２２ｂは、受光量の減少を示している。
【００４１】
従って、本実施の形態２では、この様な受光素子５の受光量に変動があった場合でも、発光素子１の消灯時の受光量２２を基準値として、発光素子１が点灯時の受光素子５の受光量２２から基準値を減算することにより補正光量を得る。また基準値は、発光素子１が点灯及び消灯を繰り返し行ったときの、第１の消灯時の受光量と、第２の消灯時の受光量とを平均化したものである。また更に図２（ｂ）で示している様に、発光素子１を所定のタイミングで点灯及び消灯を複数回繰り返し、発光素子１の各点灯時の受光量から上記基準値を減算した値の平均値あるいは中間値を最終の補正光量とする。
【００４２】
ここで発光素子１が点灯のあと消灯して再度点灯するまでの時間間隔は、非周期的とする。特に、測定精度を保持するのに必要な最大間隔の１／１０倍から１倍までの任意の間隔で変化させる様にすることが、実現的で望ましい。この目的は、周期的になりがちな光学ノイズのゆらぎをできるだけ排除することである。つまり、部屋の中で使用している照明器具は、５０Ｈｚまたは６０Ｈｚの商用電力を用いているために、この周波数での光学ノイズが発生していることがある。また、最近ではインバーター駆動（４０〜１００ｋＨｚ）を行っている照明器具も多いので、この周波数での光学ノイズが発生していることもある。また、ライト６やディスプレイ７の照明光の場合でも、回路内で周期的に発生している電気ノイズに同期して、発光量が変動していることもある為である。
【００４３】
そこで本実施の形態２では、発光素子１が点灯時の受光素子５の受光量から基準値を減算することにより得た値を補正光量として、操作位置に対する補正光量のグラフを図２（ｃ）の様に書き直す。この操作によって、補正光量２４は照明光や装置外の光の変動による誤差要因が除去されるために、測定用試験片３の移動に伴った滑らかな変化のグラフが得られる。従って、補正光量２４の変化の大きさ２５に基づいて、被測定領域４の呈色度を正確に求めることができる。（図２（ｂ）では、受光量２１の変化の大きさ２３は、変動誤差２１ｂを含んでいたが、図２（ｃ）では、この誤差の影響が無くなった。）これにより、信頼性の高い、血液（検体試料）１１中のグルコース濃度を算出することができる。
【００４４】
なお、本実施の形態２では、測定用試験片を移動させて測定する場合について述べたが、前記実施の形態１のように、測定用試験片を移動させずに測定する場合に適用しても同様な効果が得られる。また、検体試料が血液サンプルの場合について述べたが、他の試料（尿や唾液や体液など）であっても何ら支障はない。また、測定用試験片からの反射散乱光を受光する構成について述べたが、試験片からの透過光を受光するようにしても何ら支障はない。また、呈色部（被測定領域）における照射光の吸光の事例を述べたが、照射光を必要としないで自ら発光する場合であっても、本実施の形態２の光学測定装置を用いることで同様の効果が得られる。
【００４５】
このような実施の形態２の光学測定装置によれば、発光素子１を点灯し、消灯してから再度点灯するまでの間の時間間隔を、非周期的にしたことにより、照明光や装置外の光の変動による影響を軽減することができ、より信頼性の高い測定結果を得ることができる。
【００４６】
（実施の形態３）
図３は、本発明の実施の形態３における光学測定装置３００の主要部位を示すものである。図において、図１と同一構成要素については、同一符号を付し、その説明は省略する。
【００４７】
図３（ａ）は、本実施の形態３において、測定用試験片３に穿刺した指先から抽出された血液サンプル（検体試料）１１を添加する前の状態であり、装置使用者の使い勝手を向上するために、ライト６やディスプレイ７の照明光を点灯している。図３（ｂ）は、照明光を消灯して測定している状態の様子を示している。
【００４８】
つまり、暗闇状態で測定用試験片３を装置に装着したり、血液サンプル（検体試料）１１を測定用試験片３に添加したり、装置の状態を確認したりする場合には、ライト６やディスプレイ７の照明光が必要である。しかし、上記実施の形態１及び２で述べた通り、この照明光は、測定誤差の要因となる。
【００４９】
そこで、本実施の形態３では、数秒程度の測定期間のみ、照明光を消灯あるいは減光するようにした。これにより、測定中、受光素子５には誤差となる光が入射しなくなるので、より測定誤差を低減する効果が得られる。また、この照明光の消灯あるいは減光期間は、装置使用者が結果表示を待つのみの時間であり、使い勝手には殆ど影響を与えないと考えられるので、簡単な方法ではあるが、非常に有効である。
【００５０】
なお、本実施の形態３では、測定用試験片３やディスプレイ７を照明するライトについて述べたが、測定装置に備えられている如何なるライトであっても、同様な操作で同様の効果が得られるものである。
【００５１】
また、本実施の形態３では、検体試料が血液サンプルの場合について述べたが、他の試料（尿や唾液や体液など）であっても何ら支障はない。また、測定用試験片からの反射散乱光を受光する構成について述べたが、試験片からの透過光を受光するようにしても何ら支障はない。
【００５２】
また、本実施の形態３では、呈色部（被測定領域）における照射光の吸光の事例を述べたが、照射光を必要としないで自ら発光する場合であっても、本実施の形態３の光学測定装置を用いることで同様の効果が得られる。
【産業上の利用可能性】
【００５３】
本発明にかかる光学測定装置は、暗闇状態において、使用者が使い易いように照明用のライトを装置に内蔵した場合や、装置外の光が装置内へ入ってしまう場合であっても、信頼性の高い測定結果が得られる高精度な光学測定として有用である。
【図面の簡単な説明】
【００５４】
【図１】本発明の実施の形態１による光学測定装置の主要部位と機能を説明するための図である。
【図２】本発明の実施の形態２による光学測定装置の主要部位と機能を説明するための図である。
【図３】本発明の実施の形態３による光学測定装置の主要部位と機能を説明するための図である。
【図４】従来の光学測定装置の一例としてのグルコースモニタ装置の照明機能を説明するための図である。
【符号の説明】
【００５５】
１  発光素子
２  レンズ
３  測定用試験片
４  呈色部（被測定領域）
５  受光素子
６  ライト
７  ディスプレイ
８  ライトの照明光の一部が装置内部を通過して受光素子に入射される様子
９  ディスプレイの照明光の一部が装置内部を通過して受光素子に入射される様子
１０  装置外の光が装置の隙間を通過して受光素子に入射される様子
１１  血液サンプル（検体試料）
１２  検出手段
１５  測定用照射光
１６  スポット
１７  反射散乱光
１８  発光素子を点灯した場合の受光素子での受光量
１９  発光素子を消灯した場合の受光素子での受光量
２１  発光素子を点灯した場合の受光素子での受光量
２２  発光素子を消灯した場合の受光素子での受光量
２３  受光素子での受光量の変化の大きさ
２４  照射光を点灯した時の受光量から基準値を減算することにより得た補正光量
２５  補正光量の変化の大きさ
【図１】
2008232662.tif 000003
【図２】
2008232662.tif 000004
【図３】
2008232662.tif 000005
【図４】
2008232662.tif 000006